(57)【特許請求の範囲】
【請求項１】
四枚の側板と糊代を折曲線にて接続して角筒体を形成するようにした紙製容器本体の底部に、嵌合溝を設けた底板と台形からなる底受板を側板に折曲線にて交互に接続し、掛止板中央に挿入口を穿設し、挿入口より放射状に切り込みを入れて掛止片を設けると共に一端中央に撮穴を穿設し、該掛止板両端に折曲線にて補強板を接続してなる掛止蓋一方の補強板を、一枚の側板の上端に折曲線にて接続し、補強板を折曲線にて残り三枚の側板に接続し、一側端の中央に三角形状の切欠を設け、切欠の先端に切込を設けた調整板を、切取線にて二枚の補強板に接続して一枚ものとし、折り曲げにて組立て紙製容器を形成するようにしたことを特徴とする花瓶用紙製容器。
【請求項２】
調整板の両端に切り欠きにて受片を突設するようにした請求項１の花瓶用紙製容器。
【発明の詳細な説明】
【０００１】
【発明の属する技術分野】
本発明は、使用済みのペットボトルや缶又は牛乳瓶・竹筒などを活用し病室、事務所内若しくは一般家庭の室内などに花瓶の代用とし用いる時、見栄えも良く安定させて置いたり或は掛けたりすることが出来る花瓶用紙製容器に関するものである。
【０００２】
【従来の技術】
本来ペットボトルや缶又は牛乳瓶・竹筒などは、それぞれの目的があって、そのように用いられており、その使用目的が終わった後において破棄されているのが普通であるが、時には破棄物を一輪挿しなどに活用し花瓶の代用とされていることがある。
【０００３】
【発明が解決しようとする課題】
このように時には花瓶として用いられるが、いずれも使用済みのが、破棄物であるため折角美しい花を生けても、本来の使用目的のためのデザインやプリント等によって美観を損なうと共に、何となく不安定な感じがし花瓶として使用する上に於いて非常に不都合を感じていたが、本紙製容器を用いて使用済みのペットボトルを収納し花瓶の代用とすることによってペットボトルのリサイクルをすることが出来る。
【０００４】
【課題を解決するための手段】
本発明はこのような不都合を解消するもので、四枚の側板と糊代を折曲線にて接続して角筒体を形成するようにした紙製容器本体の底部に、嵌合溝を設けた底板と台形からなる底受板を側板に折曲線にて交互に接続し、掛止板中央に挿入口を穿設し、挿入口より放射状に切り込みを入れて掛止片を設けると共に一端中央に撮穴を穿設し、該掛止板両端に折曲線にて補強板を接続してなる掛止蓋一方の補強板を、一枚の側板の上端に折曲線にて接続し、補強板を折曲線にて残り三枚の側板に接続し、一側端の中央に三角形状の切欠を設け、切欠の先端に切込を設けた調整板を、切取線にて二枚の補強板に接続して一枚ものとし、折り曲げにて組立て紙製容器を形成するようにしたものである。更に調整板の両端に切り欠きにて受片を突設するようにしたものである。
【０００５】
【作用】
使用に当っては先ず大きいペットボトルの場合では、展開状態から側板と糊代を折曲線にて折り曲げ糊代を側板に貼りつけて角筒体を形成し、底板と受板を折曲線にて折り曲げ互い違いに組み合わせて底部を蓋す。
このようにしてから補強板と調整板を折曲線にて内折し、側板に重ね合わしておく。
それからペットボトルを角筒体とした容器本体内に入れてから掛止蓋を蓋すが、その時折曲線にて掛止板と補強板をそれぞれ内折として挿入口をペットボトルの飲口に挿入する。
この時挿入口が飲口より小さいので挿入口の挿入によって掛止片が上方に持ち上げられ、飲口を確りと掛止めするので、ペットボトル内に水を入れ花を生けて飾って置く。
【０００６】
次に小さいペットボトルの場合では、底部を蓋す迄は前述と同じ要領で行なう。
そして調整板を切取線にてそれぞれ切り取ってから、補強板を折曲線にて内折し側板に重ね合わしておく。
このように切り取った調整板の切込を嵌合して十文字の形状に組み合わせ、両端を角筒体の角部となるよう容器本体内に底部まで挿入する。
それからペットボトルを角筒体とした容器本体内に入れペットボトルの底部を確実に受止めてから掛止蓋を蓋し、前述と同じ要領で挿入口を調整板によって高くなっている飲口に挿入し、掛止片にて飲口を確りと掛止めするので、ペットボトル内に水を入れ花を生けて病室などに飾って置く事が出来る。
【０００７】
若し病室など狭い場所で置く場所がない場合には、側板上端部に設けている掛止穴を利用して壁や柱に掛けて飾って置く。
更に缶や竹筒の場合は、掛止蓋にて上面を押さえ挿入口を利用して水を入れたり花を生けたりすることが出来る。
尚、紙製容器本体の表面に絵や各種の模様などをプリントしておけばより美しく飾って観賞することが出来る。
【０００８】
【実施の形態】
以下本発明の一実施例を図面について説明する。
（実施例１）
本実施例は大きいボトル９００ｍｌを花瓶として用いる場合である。
図中１は紙製容器本体であって、側板２・３・４・５を長手方向に沿って折曲線６・７・８にて接続すると共に、側板２の長手方向に折曲線９にて糊代１０を接続し、折曲線６・７・８・９にて折り曲げ糊代１０を側板５に接着して角筒体を形成しているが合成樹脂にて成形されたもの、又は紙管にて応用することも可能である。
１１は台形で先端略中央に嵌合用の嵌合溝１１ａを、又元端一方に切り欠き１１ｂを設けた底板であって、折曲線１２にて側板２・４の下端にそれぞれ接続し、紙製容器本体１が角筒体を形成する時、嵌合溝１１ａが互いに嵌合して底部を蓋す
【０００９】
１３は台形からなる底受板であって、側板３・５に折曲線１４にてそれぞれ接続し、紙製容器本体１が角筒体を形成する時、底板１１と共に折り曲げて底板１１の補強と底部の覆を補っている。
１５は掛止蓋であって、長方形の掛止板１６中央にペットボトル１７の飲口１７ａ挿入用の挿入口１８を穿設し、挿入口１８より放射状に８箇所の切り込みを入れて８片の掛止片１９を設けると共に、一端中央に撮み用の撮穴２０を設け、折曲線２１・２２にて補強板２３・２４を接続し、側板２の上端に補強板２３を折曲線２５にて接続している。
２６は補強板２３と同寸の補強板であって、側板３の上端に折曲線２７にて接続している。
【００１０】
２８は高さ調節用の調整板であって、切り欠きにて一側端の両側に受片２８ａを設け、受片２８ａ側の中央に三角形状の切欠２８ｂを穿設しこの切欠２８ｂ先端に切込２８ｃを設け、切取線２９にて補強板２３と同寸の補強板３０を接続し、折曲線３１にて側板４上端に補強板３０を接続している。
３２は調整板２８と同寸の高さ調節用の調整板であって、切り欠きにて一側端の両側に受片３２ａを設け、受片３２ａ側と反対側の中央に三角形状の切欠３２ｂを穿設しこの切欠３２ｂ先端に切込３２ｃを設け、切取線３３にて補強板２３と同寸の補強板３４を接続し、折曲線３５にて側板５上端に補強板３４を接続し一枚ものとしている。
【００１１】
使用に当っては、前述の如く図１に示す展開状態から側板２・３・４・５と糊代１０を折曲線６・７・８・９にて折り曲げ糊代１０を側板５に貼りつけて角筒体を形成し、底板１１と受板１３を折曲線１２・１４にて折り曲げ互い違いに組み合わせて嵌合溝１１ａを嵌合して底部を蓋す。
このようにしてから補強板２６・調整板２８・３２を折曲線２７・３１・３５にて内折し、図２および図３に示す如く側板３・４・５に重ね合わしておく。
【００１２】
それからペットボトル１７を角筒体とした紙製容器本体１内に入れてから掛止蓋１５を蓋すが、その時折曲線２１・２２にて掛止板１６と補強板２３・２４をそれぞれ内折として挿入口１８を飲口１７ａに挿入する。
この時挿入口１８が飲口１７ａより小さいので挿入口１８の挿入によって図４に示す如く掛止片１９が上方に持ち上げられ、飲口１７ａを確りと掛止めするので、ペットボトル１７に水を入れ花を生けて飾って置く。
若し置く場所がない場合には、側板２上端部に設けている掛止穴２ａを利用して壁や柱に掛けて飾って置く。
【００１３】
（実施例２）
本実施例は小さいペットボトル５００ｍｌを花瓶として用いる場合である。
構成は実施例１と全く同じものを用いるが、使用の仕方が異なるので構成の説明は省略し使用する場合について説明する。
使用に当っては、前述の如く図１に示す展開状態から側板２・３・４・５と糊代１０を折曲線６・７・８・９にて折り曲げ糊代１０を側板５に貼りつけて角筒体を形成し、底板１１と受板１３を折曲線１２・１４にて折り曲げ互い違いに組み合わせて嵌合溝１１ａを嵌合して底部を蓋す。
そして調整板２８を切取線２９にて、調整板３２を切取線３３にてそれぞれ切り取ってから、補強板２６・３０・３４を折曲線２７・３１・３５にて内折し、図５に示す如く側板３・４・５に重ね合わしておく。
【００１４】
このように切り取った調整板２８・３２の切込２８ｃ・３２ｃを嵌合して図６に示す如く十文字の形状に組み合わせ、両端それぞれの受片２８ｃ・３２ｃを角筒体の角部となるよう紙製容器本体１内に図５に示す如く高さの低くなったペットボトル３６の高さを高くするため底部まで挿入する。
それからペットボトル３６を角筒体とした紙製容器本体１内に入れペットボトル３６の底部を受片２８ａ・３２ａで確実に受止めてから掛止蓋１５を蓋すが、その時折曲線２１・２２にて掛止板１６と補強板２３・２４をそれぞれ内折として挿入口１８を調整板２８・３２によって高くなっている飲口３６ａに挿入する。
【００１５】
この時挿入口１８が飲口３６ａより小さいので挿入口１８の挿入によって図５に示す如く掛止片１９が上方に持ち上げられ、飲口３６ａを確りと掛止めするので、ペットボトル３６に水を入れ花を生けて飾って置く。
若し置く場所がない場合には、側板２上端部に設けている掛止穴２ａを利用して壁や柱に掛けて飾って置く。
尚、図５・６の受片２８ａ・３２ａを逆の状態となるようにして調整板２８・３２を設けるようにしても良い。
【００１６】
【発明の効果】
上述の如く本発明は、折り曲げにて簡単に紙製容器を作ることが出来、しかも使用するペットボトル・缶・牛乳瓶・竹筒の長さに合わせて二種類の使い分けが出来ると共に、掛止蓋にて確実に保持するため倒れにくく安定した状態を保ち、しかも病室や事務所若しくは一般家庭の室内の美観を損なわないよう花を生けて置いておいたり掛けたりして飾ることが出来、使用後は簡単に処理することが出来るなど多くの特長が有り産業上非常に優れた発明である。
【図面の簡単な説明】
【図１】本発明実施例１の展開図である
【図２】本発明実施例１の一部を破断した組立斜視図である
【図３】本発明実施例１の一部を破断した右側面図である
【図４】本発明実施例１の使用状態の斜視図である
【図５】本発明実施例２の一部を破断した右側面図である
【図６】本発明実施例２の調整板を十文字に組合わせた斜視図である
【符号の説明】
１    紙製容器本体
２    側板
２ａ  掛止穴
３    側板
４    側板
５    側板
６    折曲線
７    折曲線
８    折曲線
９    折曲線
１０    糊代
１１    底板
１１ａ  嵌合溝
１１ｂ  切欠
１２    折曲線
１３    受板
１４    折曲線
１５    掛止蓋
１６    掛止板
１７    ペットボトル
１７ａ  飲口
１８    挿入口
１９    掛止片
２０    撮穴
２１    折曲線
２２    折曲線
２３    補強板
２４    補強板
２５    折曲線
２６    補強板
２７    折曲線
２８    調整板
２８ａ  受片
２８ｂ  切欠
２８ｃ  切込
２９    切取線
３０    補強板
３１    折曲線
３２    調整板
３２ａ  受片
３２ｂ  切欠
３２ｃ  切込
３３    切取線
３４    補強板
３５    折曲線
３６    ペットボトル
３６ａ  飲口
【図１】
0003885168.tif 000002
【図２】
0003885168.tif 000003
【図３】
0003885168.tif 000004
【図４】
0003885168.tif 000005
【図５】
0003885168.tif 000006
【図６】
0003885168.tif 000007